(57)【要約】  水栓スプレイヘッドの磁気ドッキングシステムは、スパウトの端部に連結するソケット、およびスプレイヘッドと連結し、かつソケットと係合するボンネットを含んでいる。ソケットは、スパウトの口に配置されるように構成され、かつ、１以上の磁気要素と一体化されたシェルを含んでいる。磁気要素は、ソケットのシェルの対応する孔の中に挿入され得る。代替的に、磁気要素は、シェルの中に組み込まれ得る。ボンネットは、スプレイヘッドでコネクタの対応するねじに連結するためのねじ部分を含み、および、ソケットの磁気要素に磁気的に吸着するように構成された、１以上の対応する磁石を含んでいる。
2018512520.tif 000002
【特許請求の範囲】
【請求項１】
水栓であって、
スパウトの端部に近接して配置され、前記スパウトの内部方向に突出している雄コネクタを有するスパウトと、
前記スパウトの前記端部の中に挿入可能なソケットであって、前記ソケットが雌コネクタと少なくとも１つの磁気連結要素とを有し、前記雌コネクタは、前記ソケットが前記スパウトの前記端部の中に挿入されるとき、前記ソケットを少なくとも部分的に保持するように前記雄コネクタに連結されるように構成されている、ソケットと、を含むことを特徴とする水栓。
【請求項２】
前記ソケットが前記スパウトの前記端部の中に挿入されるとき、前記スパウトに配置可能、かつ前記ソケットを通るホースと、
前記ホースと流体接続可能で、前記スパウトの前記端部にドッキングするように構成されたプルアウトスプレイヘッドと、
前記プルアウトスプレイヘッドがドッキングされるとき、前記ソケットの少なくとも１つの磁気連結要素に磁気的に連結するように構成される少なくとも１つの相補的な磁気連結要素と、をさらに備える、ことを特徴とする請求項１に記載の水栓。
【請求項３】
前記ホースが、前記ホースの端部に配置され、前記プルアウトスプレイヘッドに連結するように構成されたボンネットを含み、前記少なくとも１つの相補的な磁気連結要素が前記ボンネット上に配置されている、ことを特徴とする請求項２に記載の水栓。
【請求項４】
前記少なくとも１つの相補的な磁気連結要素が前記プルアウトスプレイヘッドの端部に配置されている、ことを特徴とする請求項２に記載の水栓。
【請求項５】
前記ソケットが少なくとも１つの溝を備える、ことを特徴とする請求項１に記載の水栓。
【請求項６】
前記少なくとも１つの磁気連結要素が前記少なくとも１つの溝に配置されている、ことを特徴とする請求項５に記載の水栓。
【請求項７】
前記雄コネクタが、前記スパウトの内部の中に内側に向いている前記スパウトの外部表面内に押し下げとして形成されている、ことを特徴とする請求項１に記載の水栓。
【請求項８】
前記スパウトの前記端部に近接して画定された開口をさらに備え、前記雄コネクタは、前記開口に配置されたテールと、前記スパウトの前記内部の中に内側に向いているヘッドと、を有する係合部材を備える、ことを特徴とする請求項１に記載の水栓。
【請求項９】
前記ソケットがクリップ部材を備える、ことを特徴とする請求項１に記載の水栓。
【請求項１０】
前記雌コネクタが前記クリップ部材に画定されたスルーホールを備える、ことを特徴とする請求項９に記載の水栓。
【請求項１１】
前記クリップ部材が外側に突出している係合部材を備える、ことを特徴とする請求項９に記載の水栓。
【請求項１２】
前記雌コネクタが前記係合部材内の凹み部である、ことを特徴とする請求項１１に記載の水栓。
【請求項１３】
前記スパウトは、前記スパウトの前記端部に配置された少なくとも１つのアライメント部材を備え、前記ソケットは、前記スパウトの前記端部に前記ソケットの挿入の間に、前記少なくとも１つのアライメント部材を受容するよう構成された少なくとも１つのチャネルを備える、ことを特徴とする請求項１に記載の水栓。
【請求項１４】
水栓スパウトにプルアウトスプレイヘッドのドッキングを容易にするためのソケットであって、その中に画定された少なくとも１つの溝を有する外側表面と、雌コネクタを有するクリップ部材と、前記少なくとも１つの溝に配置された少なくとも１つの磁気連結要素と、を備え、前記雌コネクタが、前記ソケットが前記スパウトの中に挿入されるとき、前記スパウトに前記ソケットを少なくとも部分的に保持するようにスパウトの雄コネクタに連結するように構成され、前記少なくとも１つの磁気連結要素がホースとプルアウトスプレイヘッドの一方に配置された少なくとも１つの相補的な磁気連結要素に磁気的に連結するように構成されている、ことを特徴とするソケット。
【請求項１５】
前記ホースが、前記ホースの端部に配置され、前記プルアウトスプレイヘッドに連結するように構成されたボンネットを含み、前記少なくとも１つの相補的な磁気連結要素が前記ボンネット上に配置されている、ことを特徴とする請求項１４に記載のソケット。
【請求項１６】
前記少なくとも１つの相補的な磁気連結要素が前記プルアウトスプレイヘッドの端部に配置されている、ことを特徴とする請求項１４に記載のソケット。
【請求項１７】
前記雌コネクタが前記クリップ部材に画定されたスルーホールを備える、ことを特徴とする請求項１４に記載のソケット。
【請求項１８】
前記クリップ部材が前記少なくとも１つの溝に隣接している、ことを特徴とする請求項１４に記載のソケット。
【請求項１９】
前記クリップ部材が外側に突出している係合部材を備える、ことを特徴とする請求項１４に記載のソケット。
【請求項２０】
前記雌コネクタが前記係合部材の凹み部である、ことを特徴とする請求項１９に記載のソケット。
【請求項２１】
前記外側表面が前記スパウトに前記ソケットの挿入の間、前記スパウトの少なくとも１つのアライメント部材と相互作用するように構成された少なくとも１つのチャネルを備える、ことを特徴とする請求項１４に記載のソケット。
【請求項２２】
前記少なくとも１つのチャネルが２つのチャネルを備える、ことを特徴とする請求項２１に記載のソケット。
【請求項２３】
前記クリップ部材が前記２つのチャネルの間に配置されている、ことを特徴とする請求項２２に記載のソケット。
【請求項２４】
前記外側表面が前記クリップ部材に隣接する少なくとも１つのスロットを備える、ことを特徴とする請求項１４に記載のソケット。
【請求項２５】
前記少なくとも１つのスロットが前記スプレイヘッド上の少なくとも１つのアライメントコンポーネントを受容するように構成される、ことを特徴とする請求項２４に記載のソケット。
【請求項２６】
水栓であって、
スパウトの端部に近接して配置された係合部材を有するスパウトであって、前記係合部材が前記スパウトの外側から前記スパウトの内側に曲げられる前記スパウトの部分を含むスパウトと、
前記スパウトの前記端部の中に挿入可能なソケットであって、前記ソケットが、クリップ部材と、少なくとも１つの磁気連結要素と、を有し、前記クリップ部材が、前記ソケットが前記スパウトの中に挿入されるとき、前記ソケットを少なくとも部分的に保持するように、前記係合部材と係合するように構成されている、ソケットと、を含むことを特徴とする水栓。
【請求項２７】
前記ソケットが前記スパウトの中に挿入されるとき、前記スパウトに配置可能、かつ前記ソケットを通るホースと、
前記ホースに流体接続可能で、前記スパウトの前記端部にドッキングするように構成されたプルアウトスプレイヘッドであって、前記ホースおよび前記プルアウトスプレイヘッドの一方が、前記プルアウトスプレイヘッドがドッキングされるとき、前記ソケットの前記少なくとも１つの磁気連結要素に磁気的に連結するように構成された少なくとも１つの相補的な磁気連結要素を有する、スプレイヘッドと、をさらに備える、ことを特徴とする請求項２６に記載の水栓。
【発明の詳細な説明】
【技術分野】
【０００１】
［関連仮出願の相互参照］
本願は、２０１５年２月１８に出願された米国仮特許出願第６２／１１７，６６２号、および２０１５年１０月７に出願された米国仮特許出願第６２／２３８，３９７号の利点を請求し、かつ、これらの特許の開示内容は、参照によって本願にそれらの全体が組み込まれるものとする。
【０００２】
［技術分野］
本発明は、一般に、プルアウトスプレイヘッドを有する水栓に関する。
【背景技術】
【０００３】
水栓は、熱水、冷水または混合された水を給水からユーザに送出することを基本的な目的として有する、極めて一般の配管製品である。いくつかの水栓、特に、キッチン用水栓は、プルダウンまたはプルアウトスプレイ機構に特徴があり、それらの機構は、スプレイヘッドにスパウトを通る水を向ける水栓スパウトに配置されたフレキシブルかつ格納可能なホースに取り付けられたスプレイヘッドを含んでいる。これらの特徴は、水取出の指示において、ユーザにより柔軟性を提供し、それらは、固定された水栓タイプから水取出が到達できないかもしれない、シンクの領域または食器の底面をすすぐことを可能にする。
【０００４】
プルアウトスプレイヘッドの使用が終わった後、通常、それは水栓スパウトの口にドッキングされる。これを達成するために、従来のプルアウト水栓の１つのタイプは、ホースをシンクの下の下方へ引っ張る、おもし（ホースの後端部に取り付けられた）を採用し、スプレイヘッドをスパウトの方に移動させ、かつそこにドッキングするように強制している。しかしながら、ホースの最適な格納およびスプレイヘッドの確実なドッキングは、おもしの少しの誤配置でさえ、格納の間にホースを妨害し得、かつスプレイヘッドがスパウトの周りに不要にぶら下がることを生じ得、達成することがしばしば困難である。
【発明の概要】
【０００５】
概して、従来の構造の不利益を回避する新しい水栓スプレイのドッキングシステムを提供することが本発明の目的である。
【０００６】
本発明のいくつかの実施形態によれば、水栓は、水栓本体、水栓本体に取り付けられたスパウト、水栓本体およびスパウトを通り配置されるホース、ホースに流体連結されるプルアウトスプレイヘッド、およびプルアウトスプレイヘッドをスパウトに取外し可能に連結している、磁気ドッキングシステムを含み得る。磁気ドッキングシステムは、スパウトの端部に配置されたスリーブまたはソケット、およびスプレイヘッドと連結し、かつソケットを係合するボンネットを含み得る。ソケットは、１以上の磁気要素に提供されるシェル、または外側表面を含み得る。いくつかの実施形態において、磁気要素は、永久磁石であり得る。他の実施形態において、磁気要素は、１以上の永久磁石に磁気的に連結することを可能にする強磁性材料であり得る。ボンネットは、スプレイヘッド、および、ソケットの磁気要素に磁気的に連結するように構成された１以上の永久磁石または強磁性部材に、コネクタの対応するねじに連結するためにねじ状の部分を含み得る。
【０００７】
本発明のいくつかの実施形態によれば、水栓は、スパウトの端部に、またはスパウトの端部の近くに、配置された第１のリング形状の磁石、および、プルアウトスプレイヘッドのドッキングしている端部に配置された第２のリング形状の磁石を有する磁気ドッキングシステムを含み得、スプレイヘッドアダプタによってキャップされる。スプレイヘッドアダプタは、スパウトに配置されたホースの端部に流体連結され得、およびスプレイヘッドがドッキングするスパウトの端部内に挿入可能であり得る。第１のリング形状の磁石および第２のリング形状の磁石の間の磁力は、スプレイヘッドをそのドッキング位置において、スパウトに取り外し可能に連結し得る。
【０００８】
さらに他の物および本発明の利点は、一部、明らかであろうし、および、一部、開示から明らかになるだろう。
【０００９】
したがって、本発明は、本明細書に記載された構造で例示されるような全て、構造の特徴、要素の組合、およびパーツの配置を含み、および本発明の範囲は、請求項に示されるだろう。
【図面の簡単な説明】
【００１０】
【図１】図１は、本発明の実施形態に従う、代表的なプルアウト水栓の斜視図である。
【図２ａ】図２ａ−２ｈは、磁気ドッキングシステムのソケットの代表的な実施形態の種々の図である。
【図２ｂ】図２ａ−２ｈは、磁気ドッキングシステムのソケットの代表的な実施形態の種々の図である。
【図２ｃ】図２ａ−２ｈは、磁気ドッキングシステムのソケットの代表的な実施形態の種々の図である。
【図２ｄ】図２ａ−２ｈは、磁気ドッキングシステムのソケットの代表的な実施形態の種々の図である。
【図２ｅ】図２ａ−２ｈは、磁気ドッキングシステムのソケットの代表的な実施形態の種々の図である。
【図２ｆ】図２ａ−２ｈは、磁気ドッキングシステムのソケットの代表的な実施形態の種々の図である。
【図２ｇ】図２ａ−２ｈは、磁気ドッキングシステムのソケットの代表的な実施形態の種々の図である。
【図２ｈ】図２ａ−２ｈは、磁気ドッキングシステムのソケットの代表的な実施形態の種々の図である。
【図３】図３および図３ａは、その中に挿入された図２ａー２ｈの実施形態のソケットを有するスパウトの断面図である。
【図３ａ】図３および図３ａは、その中に挿入された図２ａー２ｈの実施形態のソケットを有するスパウトの断面図である。
【図４】図４および図４ａは、磁気ドッキングシステムのボンネットの代表的な実施形態を示す。
【図４ａ】図４および図４ａは、磁気ドッキングシステムのボンネットの代表的な実施形態を示す。
【図５】図５および図５ａは、スプレイヘッドの代表的な実施形態の斜視図である。
【図５ａ】図５および図５ａは、スプレイヘッドの代表的な実施形態の斜視図である。
【図６ａ】図６ａ−図６ｄは、図４および図４ａのボンネットの実施形態に連結されたホースの代表的な実施形態の斜視図である。
【図６ｂ】図６ａ−図６ｄは、図４および図４ａのボンネットの実施形態に連結されたホースの代表的な実施形態の斜視図である。
【図６ｃ】図６ａ−図６ｄは、図４および図４ａのボンネットの実施形態に連結されたホースの代表的な実施形態の斜視図である。
【図６ｄ】図６ａ−図６ｄは、図４および図４ａのボンネットの実施形態に連結されたホースの代表的な実施形態の斜視図である。
【図７】図７および図７ａは、ドッキング位置における図５および図５ａの実施形態のスプレイヘッドの断面図である。
【図７ａ】図７および図７ａは、ドッキング位置における図５および図５ａの実施形態のスプレイヘッドの断面図である。
【図８】図８および図８ａは、ドッキングされていない位置における図５および図５ａの実施形態のスプレイヘッドの斜視図である。
【図８ａ】図８および図８ａは、ドッキングされていない位置における図５および図５ａの実施形態のスプレイヘッドの斜視図である。
【図９ａ】図９ａ−図９ｄは、図５および図５ａの実施形態のスプレイヘッド、および図４および図４ａのボンネットの実施形態と係合および解放にある、図２ａ−２ｈの実施形態のソケットの斜視図である。
【図９ｂ】図９ａ−図９ｄは、図５および図５ａの実施形態のスプレイヘッド、および図４および図４ａのボンネットの実施形態と係合および解放にある、図２ａ−２ｈの実施形態のソケットの斜視図である。
【図９ｃ】図９ａ−図９ｄは、図５および図５ａの実施形態のスプレイヘッド、および図４および図４ａのボンネットの実施形態と係合および解放にある、図２ａ−２ｈの実施形態のソケットの斜視図である。
【図９ｄ】図９ａ−図９ｄは、図５および図５ａの実施形態のスプレイヘッド、および図４および図４ａのボンネットの実施形態と係合および解放にある、図２ａ−２ｈの実施形態のソケットの斜視図である。
【図１０】図１０および図１０ａは、ソケットの代表的な実施形態の斜視図である。
【図１０ａ】図１０および図１０ａは、ソケットの代表的な実施形態の斜視図である。
【図１１】図１１および図１１ａは、図１０および図１０ａの実施形態のソケットのための磁気連結要素の代表的な実施形態の斜視図である。
【図１１ａ】図図１１および図１１ａは、図１０および図１０ａの実施形態のソケットのための磁気連結要素の代表的な実施形態の斜視図である。
【図１２】図１２、図１２ａ、図１３および図１３ａは、図４および図４ａの実施形態のボンネットと係合にある、図１０および図１０ａの実施形態のソケットの斜視図、分解図および断面図である。
【図１２ａ】図１２、図１２ａ、図１３および図１３ａは、図４および図４ａの実施形態のボンネットと係合にある、図１０および図１０ａの実施形態のソケットの斜視図、分解図および断面図である。
【図１３】図１２、図１２ａ、図１３および図１３ａは、図４および図４ａの実施形態のボンネットと係合にある、図１０および図１０ａの実施形態のソケットの斜視図、分解図および断面図である。
【図１３ａ】図１２、図１２ａ、図１３および図１３ａは、図４および図４ａの実施形態のボンネットと係合にある、図１０および図１０ａの実施形態のソケットの斜視図、分解図および断面図である。
【図１４】図１４および図１４ａは、図１０および図１０ａの実施形態のソケットを有し、そこにドッキングされた図５および図５ａの実施形態のスプレイヘッドを有するスパウトの端部の断面図である。
【図１４ａ】図１４および図１４ａは、図１０および図１０ａの実施形態のソケットを有し、そこにドッキングされた図５および図５ａの実施形態のスプレイヘッドを有するスパウトの端部の断面図である。
【図１５】図１５および図１５ａは、図４および図４ａの実施形態のボンネットと係合にある、図１０および図１０ａの実施形態のソケットの詳細な断面図である。
【図１５ａ】図１５および図１５ａは、図４および図４ａの実施形態のボンネットと係合にある、図１０および図１０ａの実施形態のソケットの詳細な断面図である。
【図１６】図１６および図１６ａは、図５および図５ａの実施形態のスプレイヘッド、図１０および図１０ａの実施形態のソケット、図４および図４ａの実施形態のボンネット、および図６ａ−６ｄの実施形態のホースの分解図である。
【図１６ａ】図１６および図１６ａは、図５および図５ａの実施形態のスプレイヘッド、図１０および図１０ａの実施形態のソケット、図４および図４ａの実施形態のボンネット、および図６ａ−６ｄの実施形態のホースの分解図である。
【図１７ａ】図１７ａおよび図１７ｃは、磁気ドッキングシステムのボンネットの代表的な実施形態の分解された斜視図である。
【図１７ｃ】図１７ａおよび図１７ｃは、磁気ドッキングシステムのボンネットの代表的な実施形態の分解された斜視図である。
【図１７ｂ】図１７ｂおよび図１７ｄは、図１７ａおよび図１７ｃの実施形態のボンネットの組立てられた斜視図である。
【図１７ｄ】図１７ｂおよび図１７ｄは、図１７ａおよび図１７ｃの実施形態のボンネットの組立てられた斜視図である。
【図１８ａ】図１８ａ−図１８ｄは、ソケットの代表的な実施形態の斜視図である。
【図１８ｂ】図１８ａ−図１８ｄは、ソケットの代表的な実施形態の斜視図である。
【図１８ｃ】図１８ａ−図１８ｄは、ソケットの代表的な実施形態の斜視図である。
【図１８ｄ】図１８ａ−図１８ｄは、ソケットの代表的な実施形態の斜視図である。
【図１９】図１９、図１９ａ、図２０および図２０ａは、その中に挿入された図１８ａ−１８ｄの実施形態のソケットを有するスパウトの端部の断面図および斜視図である。
【図１９ａ】図１９、図１９ａ、図２０および図２０ａは、その中に挿入された図１８ａ−１８ｄの実施形態のソケットを有するスパウトの端部の断面図および斜視図である。
【図２０】図１９、図１９ａ、図２０および図２０ａは、その中に挿入された図１８ａ−１８ｄの実施形態のソケットを有するスパウトの端部の断面図および斜視図である。
【図２０ａ】図１９、図１９ａ、図２０および図２０ａは、その中に挿入された図１８ａ−１８ｄの実施形態のソケットを有するスパウトの端部の断面図および斜視図である。
【図２１ａ】図２１ａ−図２１ｄは、スプレイヘッドの代表的な実施形態の斜視図および分解図である。
【図２１ｂ】図２１ａ−図２１ｄは、スプレイヘッドの代表的な実施形態の斜視図および分解図である。
【図２１ｃ】図２１ａ−図２１ｄは、スプレイヘッドの代表的な実施形態の斜視図および分解図である。
【図２１ｄ】図２１ａ−図２１ｄは、スプレイヘッドの代表的な実施形態の斜視図および分解図である。
【図２２】図２２および図２２ａは、ホースの代表的な実施形態の斜視図である。
【図２２ａ】図２２および図２２ａは、ホースの代表的な実施形態の斜視図である。
【図２３】図２３および図２３ａは、図２２および図２２ａの実施形態のホース、および図２１ａ−図２１ｄの実施形態のスプレイヘッドの斜視図であり、水栓スパウトを通り配置され、および実施形態のスプレイヘッドに連結された実施形態のホースを示している。
【図２３ａ】図２３および図２３ａは、図２２および図２２ａの実施形態のホース、および図２１ａ−図２１ｄの実施形態のスプレイヘッドの斜視図であり、水栓スパウトを通り配置され、および実施形態のスプレイヘッドに連結された実施形態のホースを示している。
【図２４】図２４および図２４ａは、ドッキング位置における、図２１ａ−図２１ｄの実施形態のスプレイヘッドの断面図である。
【図２４ａ】図２４および図２４ａは、ドッキング位置における図２１ａ−図２１ｄの実施形態のスプレイヘッドの断面図である。
【図２５】図２５は、本発明の実施形態に従う、代替のソケットの分解された斜視図である。
【図２６】図２６は、本発明の実施形態に従う、代替の水栓スパウトの部分底斜視図である。
【図２７】図２７および図２８は、本発明の実施形態に従う、その中に挿入された図２５のソケットを有する図２６のスパウトの断面図および底斜視図である。
【図２８】図２７および図２８は、本発明の実施形態に従う、その中に挿入された図２５のソケットを有する図２６のスパウトの断面図および底斜視図である。
【図２９】図２９は、本発明の実施形態に従う、代替のソケットの分解された斜視図である。
【図３０】図３０は、本発明の実施形態に従う、代替の水栓スパウトの斜視図である。
【図３１】図３１は、本発明の実施形態に従う、その中に挿入された図２９のソケットを有する図３０のスパウトの断面図である。
【図３２】図３２は、本発明の実施形態に従う、代替のソケットの分解された斜視図である。
【図３３】図３３は、本発明の実施形態に従う、代替の水栓スパウトの斜視図である。
【図３４】図３４は、本発明の実施形態に従う、その中に挿入された図３２のソケットを有する図３３のスパウトの断面図である。
【図３５】図３５は、本発明の実施形態に従う、図３３の水栓スパウトの底斜視図である。
【発明を実施するための形態】
【００１１】
典型的なプルアウト型水栓中のホースおもりの少しの誤配置が、スプレイヘッドを適切にドッキングさせることから妨げ得るとすれば、そうするために分離磁気ドッキングシステムを採用することは有利である。
【００１２】
図１は、本発明の実施形態に従う、プルアウト水栓１００の斜視図である。水栓１００は、水栓本体１０１、ハンドル１０２、水栓本体１０１に接続されたスパウト１０４、スパウト１０４を通り延びているプルアウトホース（図１に示されていない）、およびホースに流体連結されたスプレイヘッド１０６を含んでいる。ホースは、スプレイヘッドにスパウトを通る水を提供するように構成されており、および、スプレイヘッドがそのドッキング位置とドッキングされていない位置の間に配置されたとき、それがスパウトを通り抜けることができるように十分柔軟である材料から構成されている。図１はそのドッキング位置におけるスプレイヘッド１０６を示す。
【００１３】
いくつかの実施形態によれば、水栓（たとえば、図１の水栓１００）は、プルアウトスプレイヘッドをスパウトに取外し可能に連結するために、磁気ドッキングシステムを組み込まれ得る。磁気ドッキングシステムは、スパウトの端部に配置されたスリーブまたはソケット、および、ボンネットがその中に挿入されたとき、ソケットと磁気連結するように構成され得る、スプレイヘッドのドッキング端部に連結されたボンネットを含み得る。ソケット、およびボンネットは、各々、任意の適切な材料（たとえば、プラスチック、金属など）で構成され得る。図２ａ、図２ｅ、図２ｂ、および図２ｆは、磁気ドッキングシステムのソケット（２００、２００’）の実施形態の斜視図および側面図である。ソケット２００は、その中に一体化された磁気連結要素２２０ａ、および２２０ｂを有する、外側表面、またはシェル２１０を含み得る。磁気連結要素２２０ａおよび２２０ｂは、たとえば、インサート成形プロセス、または圧入の間にソケット２００の中に磁気連結要素２２０ａおよび２２０ｂを組み入れること、または、別の方法では、ソケット２００が形成された後、磁気連結要素２２０ａおよび２２０ｂをソケット２００に接着すること、を含む、任意の適切な方法を使用してソケット２００の中に一体化され得る。シェル２１０は、プラスチック、または任意の他の適切な材料で構成され得、およびスパウト（たとえば、図１のスパウト１０４）の端部で内側表面に一致するように構成された形状（たとえば、円筒状）を有し得る。
【００１４】
図２ｃ、図２ｄ、図２ｇおよび図２ｈは、図２ａ、図２ｂ、図２ｅおよび図２ｆの実施形態のソケットの分解された斜視図である。図２ｃおよび図２ｄに示されるように、シェル２１０は、磁気連結要素２２０ａおよび２２０ｂがそれぞれ挿入および固定され得る（たとえば、圧入、および／または任意の他の適切な接着機構を介して）、アパーチャ２１２および２１４を含み得る。磁気連結要素２２０ａおよび２２０ｂは、連結要素が外側表面２１６からシェル２１０の内側表面２１８に少なくとも部分的に延びるように、ホースの中に適合させられ得る。シェル２１０は、また、スプレイヘッドの基部でアライメント特徴を受容するためのスロット２２４を含み得る。図２ｅ、図２ｇ、および図２ｈに示されるように、ソケット２００’は、そのシェル、または外側表面で規定される、長手方向スリット、またはギャップを含み得る。種々の実施形態において、スリット、およびギャップは、水栓スパウトの内部位置に配置された相補的コンポーネント（たとえば、雌コンポーネント）を受容、および／または通すように構成され得る。ソケット２００’は、また、ギャップに隣接した１以上の面取りを含み得る。
【００１５】
シェル２１０は、また、外側表面２１６の周囲（加えて、スパウト端部の内側表面の周囲）より少し大きく、かつスパウトの中へのソケットの挿入の間に停止機構として機能する、基部部分２１１を含み得る。ソケット２００をスパウト内に固定するために、シェル２１０は、クリップ部材２３０、および、たとえば、クリップ部材２３０に配置される、ノブ、リッジ、またはフランジを含み得る、係合部材２３２を含み得る。クリップ部材２３０は、ギャップ２３１がクリップ部材２３０の複数の側面をシェル２１０の隣接部分から分離するように、シェル２１０の射出成形プロセスの間に形成され得る。ギャップ２３１は、図２ｃに示されるように、クリップ部材２３０が＋Ｘ方向と−Ｘ方向に偏らせることを可能にする。係合部材２３２は、外側表面２１６から、クリップ部材２３０で＋Ｘ方向に延び、スパウトの内側表面上に、またはスパウトの内側表面内に形成された、たとえば、ノッチのような相補的特徴を係合する。係合部材２３２をスパウトにロックするために、係合部材２３２の長さは、シェル２１０の外側表面２１６を超えて延びるために十分であり得る。この構成において、ソケット２００がスパウトに挿入されるとき、スパウトの内側表面は、−Ｘ方向に係合部材２３２上に力を加え、それによって、−Ｘ方向にクリップ部材２３０を偏らせ、およびクリップ部材２３０および係合部材２３２に＋Ｘ方向に反力を加えることを引き起こす。スパウトに完全に係合されるとき、係合部材２３２は、相補的なノッチと噛み合い得、ソケット２００をスパウトの中に保持する。他の実施形態において、ソケット２００は、係合部材２３２と噛み合うようにノッチのための要求を不要にする圧入を使用してスパウト内に保持され得る。図３および図３ａは、図２ａ−２ｈの実施形態のソケットの断面図である。たとえば、図３は、それがスパウト１０４の端部１０４ａの中に挿入された後のソケット２００を示す。
【００１６】
図４および図４ａは、ボンネット（４００、４００’）の実施形態を示す。ボンネット４００は、スプレイヘッド（たとえば、図１のスプレイヘッド１０６）、およびホースに流体連結するように構成され得る。ボンネット４００は、ホース、またはスプレイヘッドの部品として含まれ得、およびスプレイヘッドをソケット２００に磁気連結し得、スパウトの中にスプレイヘッドのドッキングを向上、および／または容易にする。ボンネット４００は、基部４０２、キャップ４０６、および、溝４０７を形成するように、基部をキャップに結合するネック４０６を含み得る。ボンネット４００は、また、溝４０７に位置させ得る１以上の磁気連結要素４０８および４１０を含み得る。２つ磁気連結要素だけが図４に描かれているが、当業者は、任意の適切な数の磁気連結要素が使用され得ることを理解するだろう。磁気連結要素４０８および４１０は、永久磁石、または、磁気ドッキングシステムの対応する磁気要素と磁気連結することができる任意の他の強磁性材料であり得る（たとえば、図２ａ−図２ｄ、および図３の磁気連結要素２２０ａおよび２２０ｂ）。それらが、ボンネット４００から分離するように図４に示されているが、磁気連結要素４０８および４１０は（別個のコンポーネントとして、または単一の環状コンポーネントとしてのいずれか）、ボンネット４００が完全に形成された（たとえば、圧流、および／または接着）後の溝４０７に固定され得る。図４ａに示されるように、ボンネット４００’は、ボンネットのネックの周りに配置されるように構成された環状磁気連結要素４０８’を含み得る。
【００１７】
磁気連結要素４０８および４１０は、溝４０７に配置されたとき、ネック４０６を完全に取り囲み得、または完全に取り囲み得ない。いくつの実施形態において、ネック４０６の部分は、磁気連結要素４０８および４１０が溝４０７に位置されるとき、曝され得る。他の実施形態において、磁気連結要素４０８および４１０が溝４０７に配置されるとき、ネック４０６を完全に取り囲み得、曝されるネック４０６の部分がほとんど、または全く無くする。また別の実施形態において、単一の環形状磁気連結要素がネック４０６の周りに配置され得る。
【００１８】
ボンネット４００は、スプレイヘッド（実施形態のスプレイヘッド、つまり、図５および５ａの１０６、１０６’参照）の対応するねじ付き雄コネクタに連結するための雌コネクタとして採用するねじ付き孔（図７のねじ付き孔４０３を参照）を含み得る。スプレイヘッド１０６は、ボンネット４００のねじ付き孔に螺着可能に連結するためのねじ１０６ｂを有する雄コネクタ１０６ａを含み得る。
【００１９】
ボンネット４００のキャップ４０４は、また、水栓１００のホースのようなホースのボールジョイント、たとえば、ホースに対するスプレイヘッド１０６の旋回を容易にするように、受容および保持するように構成されたアパーチャ４０４ａを含み得る。
【００２０】
図６ａ−６ｄは、図４および図４ａの実施形態のボンネットに連結されたホースの実施形態の斜視図である。水栓１００のスパウトを通り配置され得る、ホース１１０は、ホース端部１１０ｂに圧着されたボールジョイント１１０ａを含み得る。圧着されたボールジョイント１１０ａは、水が、ボンネット４００を通り、かつスプレイヘッド１０６のタップの外に、ホース１１０から流れることを可能にする通路を含み得る。圧着されたボールジョイント１１０ａは、圧着されたボールジョイント１１０ａとアパーチャ４０４ａの間の相互作用が、スプレイヘッドがホース端部１１０ｂの周りを旋回することを可能にするように、ボンネット４００内に少なくとも部分的に配置され得る。
【００２１】
図７および図７ａは、ドッキング位置における、図５および図５ａの実施形態のスプレイヘッドの断面図である。図７に示すように、スプレイヘッド１０６は、そのドッキング位置において、ボンネット４００とホース１１０に連結され得る。付加的に、スプレイヘッド１０６、ボンネット４００、およびソケット２００は、ボンネット４００がソケット２００の中に挿入され、または係合するとき、磁気連結要素４０８および４１０が、磁気連結要素２２０ａよび２２０ｂに近接して位置され得るように、または別の方法では、磁気連結要素２２０ａよび２２０ｂと整列し得るように、互いに整列され得、それによって、スプレイヘッド１０６をスパウト１０４に磁気的にドッキングする。磁気連結要素２２０ａおよび２２０ｂと、磁気連結要素４０８および４１０との間の引き付ける強さは、スプレイヘッド１０６がそのドッキング位置において、スパウト１０４にしっかりとドッキングされるように選択され得るが、必要とされるとき、スパウト１０４から容易に解放され得る。図７にまた示すように、スプレイヘッド１０６のねじ１０６ｂは、スプレイヘッドがボンネットに固定されるように、かつ解放の間、それと共に移動するように、ボンネット４００のねじ付き孔４０３に連結される。
【００２２】
図８および図８ａは、解放位置においける、図５および図５ａの実施形態のスプレイヘッドの斜視図である。図８に示されるように、ボンネット４００は、スプレイヘッド１０６に連結され、および２つのコンポーネントは解放されるとき一緒に動く。
【００２３】
図９ａ−９ｄは、図５および図５ａの実施形態のスプレイヘッド、および図４および図４ａの実施形態のボンネットと、それぞれ、係合、および解除された図２ａ−２ｈの実施形態のソケットの斜視図である。図９ａおよび９ｂに示されるように、スプレイヘッド１０６は、また、ソケットのスロット２２４と相互作用するように構成されたアライメント特徴１０６ｃを含み得る。いくつかの実施形態において、アライメント特徴１０６ｃおよびスロット２２４は、スプレイヘッド１０６とソケット２００の間の初期のミスアライメントを訂正するように相補的に先細りにされ得る。スプレイヘッド１０６およびソケット２００が１つの箇所にまとめられるように、アライメント特徴１０６ｃおよびスロット２２４の先細りにされた縁は、スプレイヘッド１０６をスパウト１０４に確実にドッキングするように、磁気連結要素２２０ａおよび２２０ｂと、磁気連結要素４０８および４１０をアライメントに施し得る。
【００２４】
図２ａ−２ｄに関して上述されるように、磁気ドッキングシステムのソケットは、シェル２１０のアパーチャ２１２および２１４に、圧着される、または別の方法では接着される、磁気連結要素２２０ａおよび２２０ｂを含んでいる。いくつかの代替の実施形態において、ソケットは任意のそのようなアパーチャを含まないが、代わって、シェルの中に一体化された磁気連結要素を含んでいる。
【００２５】
図１０および図１０ａは、ソケット（１０００、１０００’）の斜視図である。ソケット１０００は、シェル１０１０、基部部分１０１１、クリップ部材１０３０、ギャップ１０３１、係合部材１０３２、およびスロット１０２４を含み得、これらの全ては、ソケット２００の対応する要素と同様であり得る。しかしながら、アパーチャ（たとえば、アパーチャ２１２および２１４）、および、アパーチャの中に挿入される磁気連結要素（たとえば、磁気連結要素４０８および４１０）を含むよりむしろ、ソケット１０００は、シェル１０１０の中に少なくとも部分的に一体化された磁気連結要素１０２０ａおよび１０２０ｂを含み得る。
【００２６】
図１１および図１１ａは、代表的な磁気連結要素の斜視図である。たとえば、永久磁石、または鉄のような強磁性材料で構成され得る、磁気連結要素１０２０ａおよび１０２０ｂは、寸法が互いに実質的に同様で有り得、および任意の適切な方法（たとえば、インサート成形によって）でシェル内に一体化され得る。図１０に示されるように、磁気連結要素１０２０ａおよび１０２０ｂは、シェル１０１０の対向する側面に配置され得る。しかしながら、概して、シェル１０１０内の磁気連結要素１０２０ａおよび１０２０ｂの特定の配置は、ソケット１０００がボンネットに係合するとき、要素がボンネット（たとえば、ボンネット４００）の片割れの磁気連結要素に、近接して、または別の方法では整列して位置されるように選択され得る。つまり、ソケット１０００がボンネットに係合するとき、それらが、ボンネットの片割れの磁気連結要素と磁気的に係合するように配置される限り、磁気連結要素１０２０ａおよび１０２０ｂは、シェル内に、またはシェル上に、互いに正反対に配置され得ない。
【００２７】
図１２、図１２ａ、図１３および図１３ａは、図４および図４ａの実施形態のボンネットと係合にある図１０および図１０ａの実施形態のソケットの斜視図、分解図、および断面図である。
【００２８】
図１４および図１４ａは、その中に挿入された図１０および図１０ａの実施形態のソケットを有し、そこへドッキングされた図５および図５ａの実施形態のスプレイヘッドを有するスパウトの端部の断面図である。
【００２９】
図１５および図１５ａは、図４および図４ａの実施形態のボンネットと係合にある図１０および図１０ａの実施形態のソケットの詳細な断面図である。特に、図１５は、ソケット１００の磁気連結要素１０２０ａおよび１０２０ｂと、ボンネット４００の磁気連結要素４０８および４１０の間の相互作用を示している。
【００３０】
図１６および図１６ａは、図５および図５ａの実施形態のスプレイヘッド、図１０および図１０ａの実施形態のソケット、図４および図４ａの実施形態のボンネット、および図６−図６ｄの実施形態のホースの分解図である。
【００３１】
図１２、図１３、図１４および図１５に示すように、磁気連結要素４０８および４１０は、それらの対応する磁力がそのドッキング位置にスプレイヘッド１０６を脱離可能に保持するように、磁気連結要素１０２０ａおよび１０２０ｂに近接して、または別の方法では整列して、それぞれ位置され得る。磁気係合要素の形状および寸法がスパウト１０４、スプレイヘッド１０６、および／またはソケット１０００の形状によって変更し得、および、したがって、ソケット１０００がボンネット４００と係合されるとき、磁気連結要素１０２０ａおよび１０２０ｂが全ての方向に磁気連結要素４０８および４１０を完全に重ね得、または完全に重ね得ないことが理解されることになる。
【００３２】
図４に関して上述するように、ボンネット４００は（基部４０２、ネック４０６、およびキャップ４０４を含んでいる）、単一のコンポーネントとして構成され得る。たとえば、ボンネット４００は、そのベル形状構造に機械加工され得、およびネック４０６は、溝４０７を形成するように機械加工され得る。ボンネット４００は、複数のコンポーネントから代替的に構成され得る。たとえば、基部４０２、ネック４０６、およびキャップ４０４は、互いに接合された（たとえば、接着、またはねじ付き接続によって）分離コンポーネントであり得る。他の実施形態において、基部４０２、およびネック４０６は、ボンネット４００を形成するようにキャップ４０４に連結された単一のコンポーネントを構成する。さらなる実施形態において、キャップ４０４、およびネック４０６は、ボンネット４００を形成するように基部４０２に連結された単一のコンポーネントを構成する。
【００３３】
いくつかの実施形態において、ボンネットは、互いに連結されている、スプレイヘッドおよびホースの分離コンポーネントから構成され得る。図１７ａおよび１７ｃは、ボンネット（１７００、１７００’）の実施形態の分解された斜視図である。図１７ａに示すように、ボンネット１７００は、スプレイヘッド１７０６、キャップ１７０４、および基部１７０２およびキャップ１７０４の間に挟まれた磁気連結要素１７０８に連結され得る、基部１７０２から構成され得る。スプレイヘッド１７０６は、基部１７０２の第１の端部に対応するねじ付き孔に連結するための雄ねじコネクタ１７０６ａを、含み得、または別の方法では連結され得る。基部１７０２は、キャップ１７０４の対応するねじ付き孔１７０４ｂに連結するための雄ねじ付きコネクタ１７０２ａを含み得る。雄ねじ付きコネクタ１７０２ａは、第１の端部より小さい径を有する基部１７０２の第２の端部に形成され得る。たとえば、環形状永久磁石であり得る、磁気連結要素１７０８は、基部１７０２の第２の端部の周りに環状に提供され得、およびキャップおよび基部が一緒に連結されるとき、キャップ１７０４および基部１７０２の第２の端部の間は先細りされ得る。
【００３４】
図１７ｂおよび図１７ｄは、図１７ａおよび図１７ｃの実施形態のボンネットの組立てられた斜視図である。図１７ｂに示されるように、スプレイヘッド１７０６は、基部１７０２およびキャップ１７０４の間に先細りされた磁気連結１７０８を有するボンネット１７００によってホース１７１０に連結され得る。キャップ１７０４は、ホース１７１０の圧着されたボールジョイント１７１０ａに連結され得（ホース１１０の圧着されたボールジョイント１１０ａと同様であり得る）、ホース１７１０とスプレイヘッド１７０６の間の旋回する玉継手を形成する。
【００３５】
上述のように、磁気ドッキングシステムの実施形態は、各々、スプレイヘッドのドッキング位置に同心円形状に整列された対応する磁気連結要素で提供される、ソケットおよびボンネットを含み得る。しかしながら、他の実施形態において、磁気ドッキングシステムは、異なるソケット構造および対応するスプレイヘッド接続機構を含み得る。図１８ａ−１８ｄは、ソケット（１８００、１８００’）の斜視図である。ソケット１８００は、ブラケット１８１０、およびブラケットの内側周囲内に配置され、かつそこに固定（圧入、および／または他の接着機構）された環状磁気連結要素１８２０を含み得る。環状磁気連結要素１８２０は、後述するような対応する磁気連結要素に磁気的に連結されることができる、任意の適切な磁気材料または強磁性材料で構成され得る。ブラケット１８１０は、プラスチックまたは任意の他の適切な材料で構成され得、および、たとえば、スパウト１０４のようなスパウトの端部の内側表面に一致するように形状化され得る。シェル２１０およびシェル１０１０と同様に、ブラケット１８１０は、ブラケットの外側表面１８１０の円周より大きい円周を有する基部部分１８１１を含み得る。いくつかの実施形態において、基部部分１８１１の円周は、スパウトの内側表面の円周より大きくあり得、およびスパウトの外側表面の円周に実質的に等しくあり得る。したがって、基部部分１８１１は、スパウト内にソケット１８００の挿入の間の停止機構として機能し得る。付加的に、ブラケット１８１０は、スロット１８２４（スロット２２４と同様）を含み得、および、またクリップ部材１８３０（クリップ部材２３０およびクリップ部材１０３０と同様）、加えて、スパウトにソケット１８００を保持するための係合部材１８３２（係合部材２３２および係合部材１０３２と同様）を含み得る。図１９、図１９ａ、図２０および図２０ａは、その中に挿入される図１８ａ−８ｄの実施形態のソケットを有するスパウトの端部の断面図および斜視図である。
【００３６】
ソケット１８００の片割れとして、磁気ドッキングシステムは、また、アダプタ２１５０、およびスプレイヘッドに連結される環状磁気連結要素を含み得る。図２１ａ−２１ｄは、スプレイヘッド１０６と同様であり得る、スプレイヘッド（２１０６、２１０６’）の実施形態の斜視図および分解図である。図２１ａに示されるように、環状磁気連結要素２１２０は、スプレイヘッド２１０６の基部とアダプタ２１５０の間に挟まれ得る。スプレイヘッド２１０６は、凹み部２１０８を含み得、環状磁気連結要素２１２０を保持する。アダプタ２１５０は、プラットフォーム２１５２、プラットフォームの一方側面に配置されたチューブ２１５４、およびチューブ２１５４と反対のプラットフォームの側面に配置されたラッチ２１５６を含み得る。ラッチ２１５６は、スプレイヘッド２１０６の本体内で（さらなる詳細は後述される）ラッチ受容特徴と相互作用するように構成され（たとえば、スナップフィットにより）、アダプタ２１５０をスプレイヘッド２１０６に取り付ける。チューブ２１５４の開口２１５４ａは、ねじ２１５４ｂを含み、およびホースの対応する雄コネクタに連結するための雌コネクタとして機能する。
【００３７】
図２２および図２２ａは、ホース（２２１０、２２１０’）の実施形態の斜視図である。ホース２２１０は、たとえば、ホース１１０と同様であり得る。しかしながら、圧着されたボールジョイント１１０ａのようなボールジョイントを含むことに代わって、ホース２２１０は、ホース２２１０の端部２２１２に連結された雄コネクタ２２５０を含み得、アダプタ２１５０のねじ２１５４ｂに連結するためのねじ２２５０ａを有する。
【００３８】
図２３および図２３ａは、図２２および図２２ａの実施形態のホース、および図２１ａ−図２１ｄの実施形態のスプレイヘッドの斜視図であり、水栓スパウトを通り配置され、および実施形態のスプレイヘッドに連結された実施形態のホースを示している。図２３に示されるように、ホース２２１０は、水栓１００のスパウト１０４およびドッキングされていない位置でホース２２１０に連結されたスプレイヘッド２１０６を通り配置され得る。
【００３９】
図２４および図２４ａは、ドッキング位置における図２１ａ−図２１ｄの実施形態のスプレイヘッドの断面図である。図２４に示されるように、雄コネクタ２２５０は、端部２２１２を通り、ホース２２１０に延び得、および、ねじ２２５０ａによってアダプタ２１５０のねじ２１５４ｂに連結され得る。アダプタ２１５０のラッチ２１５６は、アダプタ２１５０がスプレイヘッド２１０６内にスナップフィットするように、スプレイヘッド内でラッチ受容特徴２１０９（たとえば、凹み部）に連結され得る。さらに、環状磁気連結要素２１２０は、環状磁気連結要素１８２０に磁気的に吸着され得、スパウト１０４に対してそのドッキング位置にスプレイヘッド２１０６を保持する。
【００４０】
図２５は、本発明の実施形態に従う、磁気ドッキングシステムの代替のソケット２５００の分解された斜視図である。図２６は、水栓スパウト２６０４の部分底斜視図である。図２７および図２８は、その中に挿入されるソケット２５００を有するスパウト２６０４の断面図および底斜視図である。
【００４１】
ソケット２５００は、図２ａ−２ｄのソケット２００と同様であり得、およびシェル２５１０、基部部分２５１１、クリップ部材２５３０、ギャップ２５３１、およびスロット２５２４を含み、それらの全ては、ソケット２００の対応する要素と同様であり得る。しかしながら、突出している係合部材（係合部材２３２のような）をクリップ部材上に含んでいるよりむしろ、クリップ部材２５３０は、スパウト２６０４の相補的な特徴（たとえば、雄コネクタ）を受容するように画定されたスルーホール２５３２（たとえば、雌コネクタ）を含んでいる。ソケット２５００は、また、基部２５１１からシェル２５１０の反対の端部にかかり、かつスパウト２６０４のアライメント特徴を摺動可能に受容するように各々画定された、チャネル２５４２および２５４４を含んでいる。ソケット２５００は、磁気連結要素を保持するための溝２５１２および２５１４を付加的に含んでいる。これらの磁気連結要素の１つである、磁気連結要素２５２０ａは、図２７に示される。ソケット２００の磁気連結要素２２０ａおよび２２０ｂのように、ソケット２５００の磁気連結要素は、たとえば、インサート成形プロセス、または圧入の間に磁気連結要素をソケット２５００の中に組み入れること、または、別の方法では、ソケット２５００が形成された後にソケット２５００に磁気連結要素を接着すること、を含む、任意の適切な方法を使用して溝２５１２および２５１４に各々連結され得る。ソケット２５００が、磁気連結要素を保持するために、代替的にアパーチャ（たとえば、アパーチャ２１２および２１４と同様）を含み得ることは理解されることになる。
【００４２】
スパウト２６０４は、スパウトの端部に形成された、側壁、またはアライメント部材２６７２および２６７４、およびそれらの間に配置されたギャップ２６７６を含んでいる。アライメント部材２６７２および２６７４は、たとえば、スパウトの端部に切り取り部分、およびスパウトの端部の反対側面の内側方向に曲げられた縁を有する、切り取られていない部分を提供することによることを含む、任意の適切な方法で形成され得る。スパウト２６０４は、また、スパウト通路の中心方向に突出しているアライメント部材２６７２および２６７４に近接して配置された係合部材２６８０（たとえば、雄コネクタ）を含んでいる。係合部材２６８０は、たとえば、スタンプされた、パンチされた、押し下げられた、またはドリルで穴あけされた区域の周囲にスパウトの部分がスパウトの通路の中心方向に向けられるように、スパウトをスタンプすること、パンチすること、押し下げること、またはドリルで穴あけすることよること、を含む、任意の適切な方法によって形成され得る。種々の実施形態において、係合部材２６８０は、また、スパウト通路におけるその遠位端部に画定された孔を有し得る。アライメント部材２６７２および２６７４は、ソケット２５００を図２７および図２８に示されるもの（つまり、スロットまたはチャネル２５４４がアライメント部材２６７２と整列、および摺動可能に受容されているもの、およびスロットまたはチャネル２５４２がアライメント部材２６７４と整列および摺動可能に受容されているもの）以外の任意のオリエンテーションでスパウトの端部の中に挿入されることから防止される。ソケット２５００がスパウトの端部に完全に挿入されるとき、アライメント部材２６７２および２６７４は、ソケットの基部２５１１に近接するチャネル２５４２および２５４４の各々の部分に保持され、および係合部材２６８０は、クリップ部材２５３０のスルーホール２５３２に連結され（たとえば、スパウトからソケットに雄から雌の接続として）、スパウト２６０４にソケット２５００を固定する。
【００４３】
図２９は、本発明の実施形態に従う、磁気ドッキングシステムの代替のソケット２９００の分解された斜視図である。図３０は、水栓スパウト３００４の斜視図である。図３１は、その中に挿入されるソケット２９００を有するスパウト３００４の断面図である。
【００４４】
ソケット２９００は、図２ａ−２ｄ、および図２５−図２８のソケット２００および２５００と同様であり得、およびシェル２９１０、基部部分２９１１、クリップ部材２９３０、ギャップ２９３１、およびスロット２９２４を含んでいる。クリップ部材２９３０は、スパウト３００４の相補的な特徴と係合するように画定された突出している係合部材２９３２（たとえば、ソケット２００の係合部材２３２と同様）を含んでいる。ソケット２９００は、また、スパウト３００４のアライメント特徴を摺動可能に受容するように画定されたチャネル２９４２および２９４４（たとえば、チャネル２５４２および２５４４と同様）を含んでいる。ソケット２９００は、磁気連結要素を保持するための溝を付加的に含んでいる。これらの溝の１つである、溝２９１２は、図２９に示される。ソケット２００および２５００と同様に、磁気連結要素は、任意の適切な方法を使用して溝に各々連結され得る。ソケット２９００が、磁気連結要素を保持するために、代替的にアパーチャ（たとえば、アパーチャ２１２および２１４と同様）を含み得ることは理解されることになる。
【００４５】
スパウト３００４は、スパウト２６０４と同様であり得、スパウトの端部に形成されたアライメント部材３０７２および３０７４、およびそれらの間に配置されたおよびギャップ３０７６を含んでいる。アライメント部材２６７２および２６７４と同様に、アライメント部材３０７２および３０７４は、任意の適切な方法で形成され得る。スパウト３００４は、また、スパウト通路の中心方向に部分的に曲げられているアライメント部材に近接して配置された係合部材３０８０を含んでいる。係合部材３０８０は、たとえば、スパウトのフラップ状部分を作成するようにスパウトをパンチすること、または切断することによること、およびスパウトの通路の中心方向にわずかにフラップ状部分を曲げることによること、を含む、任意の適切な方法で形成され得る。アライメント部材３０７２および３０７４は、チャネル２９４４がアライメント部材３０７２と整列し、かつ摺動可能に受容し、および、チャネル２９４２がアライメント部材３０７４と整列し、かつ摺動可能に受容するもの以外の任意のオリエンテーションでスパウトの端部の中に挿入されることからスパウト２９００を防止する。ソケット２９００がスパウトの端部に完全に挿入されるとき、アライメント部材３０７２および３０７４は、ソケットの基部２９１１に近接するチャネル２９４２および２９４４の各々の部分に保持され、および係合部材３０８０は、係合部材３０８０の縁上にクリップで留められ、スパウト３００４にソケット２９００を固定する。
【００４６】
図３２は、本発明の実施形態に従う、磁気ドッキングシステムの代替のソケット３２００の分解された斜視図である。図３３は、水栓スパウト３３０４の斜視図である。図３４は、その中に挿入されるソケット３２００を有するスパウト３３０４の断面図である。図３５は、水栓スパウト３３０４の底斜視図である。
【００４７】
ソケット３２００は、図２ａ−２ｄ、および図２５−図３１のソケット２００、２５００および２９００と同様であり得、およびシェル３２１０、基部部分３２１１、クリップ部材３２３０、ギャップ３２３１、およびスロット３２２４を含んでいる。クリップ部材３２３０は、ソケット２００の係合部材２３２と同様の突出している係合部材３２３２を含んでいる。しかしながら、係合部材２３２と反して、クリップ部材３２３０は、また、係合部材３２３２に凹み部３２３３（たとえば、雌コネクタ）を含んでいる。ソケット３２００は、また、スパウト３３０４のアライメント特徴を摺動可能に受容するように画定されたチャネル３２４２および３２４４を含んでいる。チャネル３２４２および３２４４は、ソケット２５００のチャネル２５４２および２５４４、およびソケット２９００のチャネル２９４２および２９４４と同様であり得るが、基部３２１１およびソケット３２００の反対の端部の間の全長にかかり得ない。ソケット３２００は、磁気連結要素を保持するための溝を付加的に含んでいる。これらの溝の１つである、溝３２１２は、図３２に示される。ソケット２００、２５００および２９００と同様に、磁気連結要素は、任意の適切な方法を使用して溝に各々連結され得る。ソケット３２００が、磁気連結要素を保持するための代替的なアパーチャ（たとえば、アパーチャ２１２および２１４と同様）を含み得ることは理解されることなる。
【００４８】
スパウト３３０４は、スパウト２６０４および３００４と同様であり得、スパウトの端部に形成されたアライメント部材３３７２および３３７４、および、それらの間に配置されたギャップ３３７６を含んでいる。アライメント部材２６７２および２６７４、およびアライメント部材３０７２および３０７４と同様に、アライメント部材３３７２および３３７４は、任意の適切な方法で形成され得る。スパウト３３０４は、また、アライメント部材に近接して配置された係合部材３３８０を含んでいる。係合部材３３８０は（たとえば、真ちゅうのような任意の適切な材料で構成され得る）、テール３３８１、およびヘッド３３８２を含んでおり、任意の適切な方法でスパウト３３０４に連結され得る。１つの実施形態において、たとえば、スパウト３３０４は、パンチされ、またはドリルで穴あけされ得、アパーチャを形成し、および係合部材３３８０は（たとえば、雄コネクタ）、その中に挿入され、かつ保持され得る（たとえば、圧入、接着などによって）。アライメント部材３３７２および３３７４は、チャネル３２４４がアライメント部材３３７２と整列し、かつ摺動可能に受容し、および、チャネル３２４２がアライメント部材３３７４と整列し、かつ摺動可能に受容するもの以外の任意のオリエンテーションでスパウトの端部の中に挿入されることからスパウト３２００を防止する。ソケット３２００がスパウトの端部に完全に挿入されるとき、アライメント部材３３７２および３３７４は、ソケットの基部３２１１に近接するチャネル３２４２および３２４４の各々の部分に保持され、および係合部材３３８０は、凹み部３２３３に少なくとも部分的に係合され（たとえば、スパウトからソケットに雄から雌の接続として）、スパウト３３０４にソケット３２００を固定する。
【００４９】
したがって、本発明が、その適切なドッキング位置にスプレイヘッドを保持する、磁気的な吸着コンポーネント（プルアウト型水栓スプレイのスパウトおよびスプレイヘッドに連結される）を有する改善されたドッキングシステムを提供することを、上述の種々の実施形態から理解されるべきである。
【００５０】
したがって、前述から明白とされる、様相、特徴、および利点は効率よく達成され、および、ある種の変更は、本発明の趣旨および範囲から逸脱することなく、行われ得るので、本明細書に含まれる全ての事項は、例証として、かつ限定する意味でないものとして解釈されることは、わかるだろう。
【００５１】
次の請求項が、本明細書で記載された本発明の包括的および具体的な特徴の全て、および、言葉の意義がその包括的および具体的な特徴の間に入るといえる、発明の範囲の述べていることの全て、を包含するように意図されることも理解される。
【図１】
2018512520.tif 000003
【図２ａ】
2018512520.tif 000004
【図２ｂ】
2018512520.tif 000005
【図２ｃ】
2018512520.tif 000006
【図２ｄ】
2018512520.tif 000007
【図２ｅ】
2018512520.tif 000008
【図２ｆ】
2018512520.tif 000009
【図２ｇ】
2018512520.tif 000010
【図２ｈ】
2018512520.tif 000011
【図３】
2018512520.tif 000012
【図３ａ】
2018512520.tif 000013
【図４】
2018512520.tif 000014
【図４ａ】
2018512520.tif 000015
【図５】
2018512520.tif 000016
【図５ａ】
2018512520.tif 000017
【図６ａ】
2018512520.tif 000018
【図６ｂ】
2018512520.tif 000019
【図６ｃ】
2018512520.tif 000020
【図６ｄ】
2018512520.tif 000021
【図７】
2018512520.tif 000022
【図７ａ】
2018512520.tif 000023
【図８】
2018512520.tif 000024
【図８ａ】
2018512520.tif 000025
【図９ａ】
2018512520.tif 000026
【図９ｂ】
2018512520.tif 000027
【図９ｃ】
2018512520.tif 000028
【図９ｄ】
2018512520.tif 000029
【図１０】
2018512520.tif 000030
【図１０ａ】
2018512520.tif 000031
【図１１】
2018512520.tif 000032
【図１１ａ】
2018512520.tif 000033
【図１２】
2018512520.tif 000034
【図１２ａ】
2018512520.tif 000035
【図１３】
2018512520.tif 000036
【図１３ａ】
2018512520.tif 000037
【図１４】
2018512520.tif 000038
【図１４ａ】
2018512520.tif 000039
【図１５】
2018512520.tif 000040
【図１５ａ】
2018512520.tif 000041
【図１６】
2018512520.tif 000042
【図１６ａ】
2018512520.tif 000043
【図１７ａ】
2018512520.tif 000044
【図１７ｂ】
2018512520.tif 000045
【図１７ｃ】
2018512520.tif 000046
【図１７ｄ】
2018512520.tif 000047
【図１８ａ】
2018512520.tif 000048
【図１８ｂ】
2018512520.tif 000049
【図１８ｃ】
2018512520.tif 000050
【図１８ｄ】
2018512520.tif 000051
【図１９】
2018512520.tif 000052
【図１９ａ】
2018512520.tif 000053
【図２０】
2018512520.tif 000054
【図２０ａ】
2018512520.tif 000055
【図２１ａ】
2018512520.tif 000056
【図２１ｂ】
2018512520.tif 000057
【図２１ｃ】
2018512520.tif 000058
【図２１ｄ】
2018512520.tif 000059
【図２２】
2018512520.tif 000060
【図２２ａ】
2018512520.tif 000061
【図２３】
2018512520.tif 000062
【図２３ａ】
2018512520.tif 000063
【図２４】
2018512520.tif 000064
【図２４ａ】
2018512520.tif 000065
【図２５】
2018512520.tif 000066
【図２６】
2018512520.tif 000067
【図２７】
2018512520.tif 000068
【図２８】
2018512520.tif 000069
【図２９】
2018512520.tif 000070
【図３０】
2018512520.tif 000071
【図３１】
2018512520.tif 000072
【図３２】
2018512520.tif 000073
【図３３】
2018512520.tif 000074
【図３４】
2018512520.tif 000075
【図３５】
2018512520.tif 000076
【国際調査報告】
2018512520.tif 000077